(57)【要約】【課題】イソ吉草酸やカプロン酸等のヒトの不快な体臭成分の生成を抑制し、その効果を持続的に示す繊維防臭剤を提供する。【解決手段】皮膚常在菌による低級脂肪酸の生成を抑制する効果を有する植物抽出物を有効成分として含ませて繊維防臭剤を構成する。前記植物抽出物の供給源である植物が、カキ葉、セイヨウオトギリソウ、セイヨウサンザシ、ボダイジュ、ローズマリー、スイカズラ、スギナから選ばれる少なくとも１種類の植物であることが好ましい。【選択図】        なし【特許請求の範囲】
【請求項１】
皮膚常在菌による低級脂肪酸の生成を抑制する効果を有する植物抽出物を有効成分として含むことを特徴とする繊維防臭剤。
【請求項２】
前記植物抽出物の低級脂肪酸生成抑制率が、プロピオニバクテリウム  アクネス（Ｐｒｏｐｉｏｎｉｂａｃｔｅｒｉｕｍ  ａｃｎｅｓ）を用いたカプロン酸生成系において、７５〜１００％であることを特徴とする請求項１に記載の繊維防臭剤。
【請求項３】
前記植物抽出物の供給源である植物が、カキ、セイヨウオトギリソウ、セイヨウサンザシ、ボダイジュ、ローズマリーから選ばれる少なくとも１種類の植物であることを特徴とする請求項１または２に記載の繊維防臭剤。
【請求項４】
前記植物抽出物の低級脂肪酸生成抑制率が、コリネバクテリウム  キセロシス（Ｃｏｒｙｎｅｂａｃｔｅｒｉｕｍ ｘｅｒｏｓｉｓ）を用いたイソ吉草酸生成系において、９０〜１００％であることを特徴とする請求項１に記載の繊維防臭剤。
【請求項５】
前記植物抽出物の供給源である植物が、スイカズラ、セイヨウオトギリソウ、スギナから選ばれる少なくとも１種類の植物であることを特徴とする請求項１または４に記載の繊維防臭剤。
【請求項６】
請求項１〜５のいずれか１項に記載の繊維防臭剤を含有することを特徴とする繊維防臭組成物。
【請求項７】
皮膚常在菌による低級脂肪酸の生成を抑制する効果を有する植物抽出物を用いた繊維防臭方法。
【請求項８】
前記植物抽出物を繊維に含浸させることによって、繊維に低級脂肪酸の生成を抑制する効果を付与することを特徴とする請求項７に記載の繊維防臭方法。
【発明の詳細な説明】
【技術分野】
【０００１】
本発明は、イソ吉草酸やカプロン酸等のヒトの不快な体臭成分の生成を抑制する植物抽出物を有効成分として含む繊維防臭剤、繊維防臭組成物、および繊維防臭方法に関し、より詳しくは、皮膚常在菌の体臭発生経路を阻害する植物抽出物を含むことで体臭抑制効果を持続的に示す繊維防臭剤、この繊維防臭剤を含有する繊維防臭組成物、および皮膚常在菌による低級脂肪酸の生成を抑制する効果を有する植物抽出物を用いた繊維防臭方法に関するものである。
【背景技術】
【０００２】
従来、汗臭などの体臭を防止する方法としては、消臭技術やマスキング技術が主流である（例えば、特許文献１参照）。また、近年では、体臭の原因物質を作り出す原因菌を殺菌する殺菌技術により、体臭の発生を抑制する方法が実用化されてきている。しかしながら、前記消臭技術やマスキング技術は効果の程度や持続性の点において満足のいくレベルではない。また、殺菌を行っても臭気発生に関与する酵素が皮膚上に残存するため、殺菌によるデオドラント技術も前記殺菌技術と同様に満足のいく防臭効果が得られているとは言いがたい。さらに、前記殺菌技術は、臭い発生菌以外の皮膚常在菌をも殺菌するため、皮膚のバリア機能を低下させる懸念がある（例えば、非特許文献１参照）。
【０００３】
そこで、近年明らかとなった、皮膚常在菌の代謝により低級脂肪酸などの体臭の原因物質が生成するという知見から、その皮膚常在菌の代謝経路に関与する酵素を阻害することによって、体臭の原因物質の生成を抑制し、体臭の発生を抑制することが検討されている。
【０００４】
具体的には、皮膚常在菌の一種であるコリネバクテリア等による身体の悪臭を発生させる微生物に対する不活性化剤として、例えば、（Ｚ）−３，４，５，６，６−ペンタメチルヘプタ−３−エン−２−オン、 ジエチル−シクロヘキサ−２−エン−１−オンとジメチル−シクロヘキサ−２−エン−１−オンの混合物、シトロネロールなどの香料成分の使用が検討され、臭気生成菌を殺菌することなく低級脂肪酸の生成を抑制できることが報告されている（例えば、特許文献２参照）。
【０００５】
また、ヒトの体臭の原因臭といわれる低級脂肪酸の皮膚常在菌による生成を抑制するエステル分解抑制剤として、例えば、ベンズアルデヒド、ベンジルベンゾエート、シンナミックアルデヒド、エチルバニリンなどの香気成分の使用が検討され、皮膚常在菌を殺菌することなく不快な体臭の発生を抑制できることが報告されている（例えば、特許文献３参照）。
【０００６】
さらに、体臭の原因物質である低級脂肪酸の一つであり、汗臭の主たる臭気物質（例えば、非特許文献２参照）と考えられているイソ吉草酸の生成経路に関与するロイシン脱水素酵素の阻害剤として、例えば、ミズキ、ハコネウツギ、シシアクチ、アデク、カンレンボク、エゾミソハギなどの植物抽出物やオイゲノールの使用が検討され、これらのロイシン脱水素酵素阻害剤の消臭効果と高い安全性が報告されている（例えば、特許文献４参照）。
【０００７】
以上のように、皮膚常在菌を殺菌することなく体臭の発生を抑制する安全性の高い香気成分や香料成分、低級脂肪酸の生成経路を阻害することにより消臭作用を示す安全性の高い植物抽出物の使用が提案されている。
【０００８】
一方、低級脂肪酸の生成経路を阻害することによって体臭の発生を抑制する効果を繊維に対して付与することができる繊維防臭剤というものはほとんど認められない。
【０００９】
【特許文献１】特開２００４−６５３１２号公報
【特許文献２】特表２００２−５１９３６８号公報
【特許文献３】特開２００２−８７９７３号公報
【特許文献４】特開２０００−１９１５１１号公報
【非特許文献１】武田  克之，「皮膚防御機能の温故知新−アクネス菌，エピデルミディス菌の常在細菌としての役割−」，日本香粧品科学会誌，２００３年，第２７巻，第１号，ｐ．２９−３２
【発明の開示】
【発明が解決しようとする課題】
【００１０】
しかしながら、前記コリネバクテリアを含む悪臭を発生させる微生物に対する不活性化剤は、香料成分であることから、揮発性が高く、滞留性が低いため、体臭抑制の点、持続性の点で満足できる効果が得られていない。従って、この不活性剤を繊維防臭剤として利用しても優れた効果を発揮できるとは考えられない。
【００１１】
また、前記エステル分解抑制剤では、体臭の主たる臭気物質である低級脂肪酸の生成抑制が不十分であるため、体臭の抑制の点で満足できる効果が得られていない。従って、このエステル分解抑制剤を繊維防臭剤として利用しても優れた効果を発揮できるとは考えられない。
【００１２】
さらに、前記ロイシン脱水素酵素の阻害剤では、イソ吉草酸の生成抑制が不十分であるため、体臭の抑制の点で満足できる効果が得られていない。従って、このロイシン脱水素酵素の阻害剤を繊維防臭剤として利用しても優れた効果を発揮できるとは考えられない。
【００１３】
本発明は、前記に鑑みてなされたものであって、本発明の目的は、イソ吉草酸やカプロン酸等のヒトの不快な体臭成分の生成を抑制し、その効果を持続的に示す繊維防臭剤を提供することである。
【課題を解決するための手段】
【００１４】
本発明者らは、前記課題を解決するために、様々な植物抽出物の低級脂肪酸生成抑制作用について鋭意研究を進めた結果、特定の植物抽出物に、主な体臭の原因物質である低級脂肪酸の生成自体を高度に、また、持続的に抑制する効果があることを見出し、本発明を完成するに至った。
【００１５】
すなわち、本発明の繊維防臭剤は、低級脂肪酸の生成を抑制する効果を有する植物抽出物を有効成分として含む繊維防臭剤である。前記植物抽出物として、カキ、セイヨウオトギリソウ、セイヨウサンザシ、ボダイジュ、ローズマリー、スイカズラ、スギナから選ばれる少なくとも１種類の植物抽出物を配合することで、低級脂肪酸の生成を抑制し、不快な体臭の発生を抑制できる繊維防臭剤を提供することを特徴とする。また、本発明の繊維防臭剤は、皮膚常在菌に対して殺菌作用を示さないことが好ましい。
【００１６】
なお、本発明でいう「繊維防臭剤」とは、皮膚常在菌による低級脂肪酸の生成を抑制する効果を有し、目的組成物に添加することにより、体臭を抑制する効果を付与した繊維防臭組成物を調整するための薬剤をいう。本発明の繊維防臭剤を含有する繊維防臭組成物を用いて繊維、衣料等を処理することによって、持続的に体臭を抑制することができる繊維、衣料等を得ることができる。
【００１７】
また、本発明は、以上のような植物または植物由来物の抽出物を用いた繊維処理方法に関する。
【発明の効果】
【００１８】
本発明により、イソ吉草酸やカプロン酸等のヒトの不快な体臭成分の生成を効果的に抑制できる有効成分を含有する、安全性の高い繊維防臭剤および繊維防臭組成物を提供することができる。
【００１９】
さらに、本発明により、ヒトの不快な体臭成分の生成を効果的に抑制できる繊維防臭処理方法を提供することができる。
【発明を実施するための最良の形態】
【００２０】
以下に、本発明の実施形態について説明する。
本発明の繊維防臭剤は、皮膚常在菌による低級脂肪酸の生成を抑制する効果を有する植物抽出物を有効成分として含むことを特徴とする。
【００２１】
前記低級脂肪酸は体臭の主たる原因物質であり、皮膚常在菌の代謝により生成することが知られている。したがって、皮膚常在菌の代謝による低級脂肪酸の生成を抑制できる植物抽出物を有効成分として含有する本発明の繊維防臭剤は、繊維から発せられる体臭由来の不快な臭気を効果的に抑制することができる。
【００２２】
皮膚常在菌における低級脂肪酸生成に係わる代謝経路としては、エステル分解による代謝経路やロイシン脱水素の代謝経路が知られているが、その他の代謝経路については未知である。不快な体臭を効果的に抑制できる繊維防臭剤としては、このような既知の代謝経路に対する阻害作用の有無に拘わらず、体臭の主たる原因物質である低級脂肪酸生成抑制効果を有することが重要である。
【００２３】
本発明の繊維防臭剤に含有される植物抽出物の低級脂肪酸生成抑制率は、プロピオニバクテリウム  アクネス（Ｐｒｏｐｉｏｎｉｂａｃｔｅｒｉｕｍ  ａｃｎｅｓ）を用いた低級脂肪酸生成系で７５〜１００％であること、またはコリネバクテリウム  キセロシス（Ｃｏｒｙｎｅｂａｃｔｅｒｉｕｍ ｘｅｒｏｓｉｓ）を用いたイソ吉草酸生成系において９０〜１００％であることが好ましい。本発明の繊維防臭剤に含有される植物抽出物がいかなる代謝経路を遮断するのか、あるいは、いかなる作用機序によるのかは明確ではないが、体臭の主たる原因物質である低級脂肪酸自体の高度な生成抑制効果を有する。
【００２４】
前記プロピオニバクテリウム  アクネス（Ｐｒｏｐｉｏｎｉｂａｃｔｅｒｉｕｍ  ａｃｎｅｓ）を用いた低級脂肪酸生成系とは、後述の実施例１〜５において示すように、トリカプロインに、プロピオニバクテリウム  アクネス（Ｐｒｏｐｉｏｎｉｂａｃｔｅｒｉｕｍ  ａｃｎｅｓ）を１×１０8個／ｍＬ接種し、３７℃で６時間培養して低級脂肪酸を生成させる反応系のことをいう。本発明の繊維防臭剤に含有される植物抽出物は、この系で７５〜１００％という高度の低級脂肪酸生成抑制効果を示すことが好ましい。
【００２５】
前記コリネバクテリウム  キセロシス（Ｃｏｒｙｎｅｂａｃｔｅｒｉｕｍ  ｘｅｒｏｓｉｓ）を用いたイソ吉草酸生成系とは、後述の実施例６〜８において示すように、健常男子より採取し、直ちにフィルター滅菌を行った汗５ｍｌに、コリネバクテリウム  キセロシス（Ｃｏｒｙｎｅｂａｃｔｅｒｉｕｍ  ｘｅｒｏｓｉｓ）を約８ＬＯＧ  ＣＦＵ／ｍｌ接種し、３７℃で６時間培養してイソ吉草酸を生成させる反応系のことをいう。本発明の繊維防臭剤に含有される植物抽出物は、この系で９０〜１００％という高度のイソ吉草酸生成抑制効果を示すことが好ましい。
【００２６】
本発明の繊維防臭剤に含有される植物抽出物のうち、上述したプロピオニバクテリウム  アクネス（Ｐｒｏｐｉｏｎｉｂａｃｔｅｒｉｕｍ  ａｃｎｅｓ）を用いた低級脂肪酸生成系において７５〜１００％の低級脂肪酸生成抑制率を示すものとして、好ましくはカキ、セイヨウオトギリソウ、セイヨウサンザシ、ボダイジュ、ローズマリーから選ばれる少なくとも１種類の植物抽出物が挙げられる。前記植物抽出物の抽出に用いられる植物はその用部に特に限定はないが、有効性を発揮させる点から、カキは葉、セイヨウオトギリソウは地上部、セイヨウサンザシは花、葉又は果実、ボダイジュは花又は葉、ローズマリーは葉又は花及び葉、スイカズラは花蕾、スギナは地上部を用いることが好適である。
【００２７】
本発明の繊維防臭剤に含有される前記植物抽出物のうち、上述したコリネバクテリウム  キセロシス（Ｃｏｒｙｎｅｂａｃｔｅｒｉｕｍ  ｘｅｒｏｓｉｓ）を用いたイソ吉草酸生成系において９０〜１００％の低級脂肪酸生成抑制率を示すものとして、好ましくはセイヨウオトギリソウ、スイカズラ、スギナから選ばれる少なくとも１種類の植物抽出物が挙げられる。前記植物抽出物の抽出に用いられる植物はその用部に特に限定はないが、有効性を発揮させる点から、セイヨウオトギリソウは地上部、スイカズラは花蕾、スギナは地上部を用いることが好適である。
【００２８】
前記植物抽出物としては、前記用部を生のまま、あるいは乾燥した後に適当な大きさに切断したり、粉砕加工したりしたものを抽出して得た抽出エキス、あるいはさらに分離精製した成分を用いることができる。抽出エキスは、常法により、溶媒抽出することによって得ることができる。抽出溶媒が使用上無害なものであれば抽出液を繊維防臭剤としてそのまま用いてもよく、適宜な溶媒で希釈した希釈液にして用いてもよい。また、前記植物抽出物を濃縮エキスとしたり、凍結乾燥などにより乾燥粉末としたり、ペースト状に調製したりしてもよい。また、必要に応じてゼラチン類、寒天、アルギン酸ナトリウムなどの有機物やケイ酸ナトリウム、ケイ酸カルシウムなどの無機物で担持、抱合して用いることもできる。
【００２９】
前記植物抽出物を得るために用いる抽出溶媒としては、例えば、メタノール、エタノール、ブタノール、ヘキサン、ヘプタン、シクロヘキサン、酢酸エチル、アセトン、モノテルペン類などの一般に用いられる有機溶媒、グリセリン、１，３−ブチレングリコール、ジプロピレングリコール、プロピレングリコールなどのグリコール類及び水などを挙げることができ、これらの１種を単独で又は２種以上を混合して使用することができる。これらの溶媒の中では、抽出効率の点から、特にエタノール、水、１，３−ブチレングリコール、モノテルペン類及びこれらの混合溶剤が望ましい。
【００３０】
なお、前記抽出処理は、冷浸、温浸、加熱環流、パーコレーション法などの常法によって行うことができる。溶媒抽出の他に、水蒸気蒸留、炭酸ガスを超臨界状態にして行う超臨界抽出によって得たエキスも同様に利用できる。超臨界抽出では、抽出助剤としてヘキサン、エタノールなどを用いることもできる。
【００３１】
また、前記抽出物の分離精製は、抽出物を活性炭処理、液液分配、カラムクロマトグラフィー、液体クロマトグラフィーなどで行うことができる。その他の抽出条件としては、抽出温度、抽出ｐＨなどが挙げられるが、極端な高温または低温や極端な酸性またはアルカリ性でなければ特に制限はない。
【００３２】
本発明の繊維防臭剤に含有されるカキ、セイヨウオトギリソウ、セイヨウサンザシ、ボダイジュ、ローズマリー、スイカズラ、スギナから選ばれる少なくとも１種類の植物抽出物は、配合量を調整し、低級脂肪酸の発生経路を阻害することにより、繊維から発せられる体臭由来の不快な臭気を効果的に抑制することができる。
【００３３】
本発明の繊維防臭剤は、皮膚常在菌に対して殺菌作用を示さないことが好ましい。本発明の繊維防臭剤中の前記植物抽出物の配合率を適切に調整することにより、皮膚常在菌に対して殺菌作用を示さずに、低級脂肪酸自体の高度な生成抑制効果を有し、体臭の抑制効果を示すようにすることができる。本発明の繊維防臭剤中に前記植物抽出物を固形物換算で０．１質量％以下配合するのが好ましく、０．０５質量％以下配合するのがより好ましい。
【００３４】
本発明の繊維防臭組成物は、前記繊維防臭剤を含有することを特徴とする。本発明の繊維防臭組成物における前記植物抽出物の具体的な配合量は、繊維防臭組成物の剤型などに応じて適宜選定されるが、一般的に組成物中に固形物換算で０．０００１〜５．０質量％（以下、単に「％」という。）配合するのがよく、好ましくは０．０００１〜０．５％配合するのがよい。配合量が０．０００１％未満であると本発明の効果を発揮できず、５．０％以上であると繊維への着色等の不具合が生じる恐れがあるためである。
【００３５】
本発明の繊維防臭組成物は、繊維の種類に応じ、公知の配合成分を添加することができる。例えば、界面活性剤、油分、アルコール類、保湿剤、増粘剤、防腐剤、キレート剤、ｐＨ調整剤、香料、色素、紫外線吸収・散乱剤、ビタミン類、水等を必要に応じて適宜配合することができる。また、本発明の繊維防臭組成物には、前記有効成分に加えて、一般に用いられている消臭剤、保存剤、酸化防止剤などをあわせて配合することができる。
【００３６】
本発明の繊維防臭組成物は、繊維または衣料に防臭効果を付与することができるため、繊維処理用または衣料処理用組成物として好適である。
【００３７】
本発明の繊維処理方法は、上述した低級脂肪酸生成抑制効果を有する、植物抽出物を用いる。前記植物抽出物を繊維に付加する方法としては、一般的に行われている方法であればいかなる方法も用いることができる。繊維処理方法としては、例えば、繊維に前記植物抽出物を含浸させ、その後乾燥させるなどして行なうことができる。また、原糸への練りこみ、紡績工程における処理、染色時や染色後の付加処理、または布帛状態となった後にアクリル、ラテックス等の有機系バインダーやシリカ、スメクタイトといった無機系バインダーを用いて繊維に付加する方法なども挙げることができる。本発明の繊維処理方法に供される繊維としては、例えば、絹、綿レーヨン、ナイロン等が挙げられる。
【実施例】
【００３８】
以下、実施例に基づき、本発明についてさらに詳細に説明する。なお、本発明は下記実施例に限定されるものではない。
【００３９】
［調製例］
抽出エキスの調製：カキは葉、セイヨウオトギリソウは地上部、セイヨウサンザシは花、葉又は果実、ボダイジュは花又は葉、ローズマリーは葉又は花及び葉、スイカズラは花蕾、スギナは地上部をそれぞれ乾燥、粉砕して粗粉末とし、各１０ｇを１００％エタノール１００ｍＬに浸漬し、室温で５日間抽出した。次いで、抽出後の粗粉末をろ別して得られた抽出液を減圧濃縮し、抽出エキスを得た。
【００４０】
［実験例１〜５：低級脂肪酸生成抑制試験］
０．２％トリカプロイン−０．０５Ｍリン酸緩衝液ｐＨ６．０（ＳＩＧＭＡ社製）２．５ｍＬに、前記調製例に従って得た各種植物抽出物を最終濃度が２５０μｇ／ｍＬとなるように添加した。その後、Ｐｒｏｐｉｏｎｉｂａｃｔｅｒｉｕｍ  ａｃｎｅｓ（ＡＴＣＣ）を約１×１０8個／ｍＬ接種し、３７℃で６時間、嫌気状態で培養した。培養終了後、生菌数を測定し、培養液に１０％硫酸を０．５ｍＬ、ジエチルエーテルを３ｍＬ加え、エーテル層に抽出されたカプロン酸量をガスクロマトグラフィーにより測定した。次いで、後述する植物抽出物を含まない比較例２をコントロールとして、カプロン酸の生成抑制率（％）を算出した。その算出結果および殺菌作用を調べた結果を下記「表１」に示す。尚、ここでいう殺菌作用とは、変法ＧＡＭ寒天培地に、被験物質を添加したものに皮膚常在菌（Ｐｒｏｐｉｏｎｉｂａｃｔｅｒｉｕｍ  ａｃｎｅｓ）を接種し、３７℃、６時間嫌気状態で培養後、コントロールに対して生菌数を１／１００以下に減少させる作用をいう。
【００４１】
【表１】
2006249599.tif 000002
【００４２】
［比較例１および２］
比較例１として、０．２％トリカプロイン−０．０５Ｍリン酸緩衝液ｐＨ６．０（ＳＩＧＭＡ社製）２．５ｍＬに、前記調製例に従って得たゲンチアナ抽出物を最終濃度が２５０μｇ／ｍＬとなるように添加し、実施例１〜５と同様にして試験した。比較例２として、植物抽出物を含まないコントロール（０．２％トリカプロイン−０．０５Ｍリン酸緩衝液ｐＨ６．０（ＳＩＧＭＡ社製）のみ）を実施例１〜５と同様にして試験した。これらの結果を下記「表２」に示した。
【００４３】
【表２】
2006249599.tif 000003
【００４４】
前記「表１」に示した結果のように、カキ葉、セイヨウオトギリソウ、セイヨウサンザシ、ボダイジュ、ローズマリー抽出物には、カプロン酸の発生を抑制する効果が認められた。また、各実施例において、殺菌作用が認められなかったことより、本作用は臭気発生経路を抑制した結果、生じたものと考えられた。
【００４５】
［実験例６〜８：イソ吉草酸の生成抑制試験]
健常男子より採取し、直ちにフィルター滅菌を行った汗５ｍＬに、調製例１に従って得た各種植物抽出物を最終濃度が２５０μｇ／ｍＬになるように添加した。その後、Ｃｏｒｙｎｅｂａｃｔｅｒｉｕｍ  ｘｅｒｏｓｉｓ（財団法人  発酵研究所）を約８Ｌｏｇ  ＣＦＵ／ｍＬ接種し、３７℃で６時間培養した。培養終了後、生菌数を測定し、フィルター処理により菌を除去した培養液２ｍＬに、１０％硫酸を０．５ｍＬ、ジエチルエーテルを３ｍＬ加え、エーテル層に抽出されたイソ吉草酸量をガスクロマトグラフィーにより測定した。次いで、後述する植物抽出物を含まない比較例６をコントロールとして、イソ吉草酸の生成抑制率（％）を算出した。その算出結果および殺菌作用を調べた結果を下記「表３」に示す。尚、ここでいう殺菌作用とは、Ｔｗｅｅｎ８０を０．１％含むＳＣＤ培地に、被験物質を添加したものに皮膚常在菌（Ｃｏｒｙｎｅｂａｃｔｅｒｉｕｍ  ｘｅｒｏｓｉｓ）を接種し、３７℃、６時間培養後に、コントロールに対して生菌数を１／１００以下に減少させる作用をいう。
【００４６】
［比較例３および４］
比較例３として、ジオウ（Ｒｅｈｍａｎｎｉａ  ｇｌｕｔｉｎｏｓａ）抽出物を添加した以外は実施例６〜８と同様にして試験した。比較例４として、植物抽出物を含まないコントロール（フィルター滅菌を行った汗のみ）を実施例６〜８と同様にして試験し、その結果を下記「表３」に示した。
【００４７】
【表３】
2006249599.tif 000004
【００４８】
前記「表３」に示した結果のように、スイカズラ、セイヨウオトギリソウ、スギナの各抽出物には、イソ吉草酸の発生を抑制する効果が認められた。また、各実施例において、殺菌作用が認められなかったことより、本作用は臭気発生経路を抑制した結果、生じたものと考えられた。
【００４９】
［実施例９〜１５：肌シャツ防臭試験］
以下の方法にて繊維防臭組成物を調製した。水５６３ｇにアルミノケイ酸塩「ライオナイトＳＦ」（商品名、ライオン株式会社製）１４０ｇと、カチオン界面活性剤（ラウリルトリメチルアンモニウムクロライド）７ｇとを添加し、室温で１時間攪拌した。その後、下記「表４」の実施例９〜１５に示すように、カキ葉、セイヨウオトギリソウ、セイヨウサンザシ、ボダイジュ、ローズマリー、スイカズラ、スギナの各抽出物をそれぞれ１０ｇ、もしくは混合して１０ｇ加え、さらに１時間攪拌し、前記植物抽出物の分散液を調製した。
【００５０】
次に、この分散液６％と、「ボンコートＡＢ８８５」（商品名、大日本インキ（株）製アクリル樹脂）１．５％と、水９２．５％とを混合し、繊維防臭組成物を調製した。この繊維防臭組成物に、市販の肌シャツを浸漬し、ローラーで脱水した後、乾燥し、評価用の肌シャツを作製した。
【００５１】
次に、成人男子２０名を５名ずつ４群に分け、それぞれの群に実施例９〜１５で作製した肌シャツを午前９時に着用させた。被験者は午前と午後にそれぞれエルゴメーターにて３０分間の運動負荷を与えた。同日の午後５時に各肌シャツを回収し、３７℃にて１時間保温した後、肌シャツの臭気を専門判定者によって評価した。臭気の判定基準を以下に示す。評価点は各群５名の平均値で表し、その結果を下記「表４」に示した。
【００５２】
＜臭気強度＞
０：無臭
１：やっと感知できるにおい
２：何のにおいかわかる弱いにおい
３：楽に感知できるにおい
４：強いにおい
５：強烈なにおい
【００５３】
［比較例５および６：肌シャツ防臭試験］
比較例５として塩化ベンザルコニウム１０ｇのみ、比較例６として水１０ｇのみを共通組成に加えた以外は実施例９〜１５と同様にして試験し、その結果を下記「表４」に示した。
【００５４】
【表４】
2006249599.tif 000005
【００５５】
前記「表４」に示した結果のように、カキ葉、セイヨウオトギリソウ、セイヨウサンザシ、ボダイジュ、ローズマリー、スイカズラ、スギナの各抽出物には、肌シャツの臭気を抑制する効果が認められた。
【００５６】
更に、洗剤「トップ」（商品名、ライオン（株）製）を使用し、ＪＩＳ  Ｌ０２１７１０３法に準じ。前記評価用肌シャツを洗濯した。１０回洗濯後の実施例９〜１５の肌シャツに関し、上述と同様にして肌シャツ臭気判定試験を実施したところ、いずれの肌シャツの臭気強度も３．１以下であり、防臭効果が持続していた。
【００５７】
［実施例１６］
実施例９〜１５で調製した方法に準じ、セイヨウオトギリソウ抽出物、ローズマリー抽出物、カキ葉抽出物をそれぞれ３ｇずつ添加した繊維防臭組成物を調製した。調整した繊維防臭組成物にレーヨン不織布を浸漬した後、脱水乾燥し、防臭繊維を調製した。この防臭繊維を用いて肌シャツを作製し、実施例９〜１５と同様にして臭気強度を評価した結果、臭気強度は３．１以下であった。
【００５８】
［実施例１７］
前記実施例９〜１５で調製した方法に準じ、セイヨウオトギリソウ抽出物、セイヨウサンザシ抽出物、ボダイジュ抽出物、スイカズラ抽出物、スギナ抽出物を各２ｇずつ添加した繊維防臭組成物を調製した。本繊維防臭組成物にナイロン繊維布を浸漬した後、脱水乾燥し、防臭繊維を調製した。この防臭繊維を用いて肌シャツを作製し、実施例９〜１５と同様にして臭気強度を評価した結果、臭気強度は３．１以下であった。
【００５９】
［実施例１８：製品処方例］
［処方例１］
下記の方法にて、繊維防臭効果を有する衣料用柔軟仕上げ剤を調製した。アーカード２ＨＴ−７５（ライオンアクゾ社製）１５部、ポリエーテル変性シリコーンＫＦ６０１６（信越化学工業社製）５部、塩化カルシウム（トクヤマ社製）０．３部、エチレングリコール（三菱化学社製）１部、Ｃ．Ｉ．Ｄｉｒｅｃｔ Ｂｌｕｅ ８６（住友化学工業社製）０．００１部、イソチアゾロン（ローム・アンド・ハース社製）０．０００１部、特開２００３−１０５６６８号公報記載の表８〜１７記載の香料組成物Ｃ  ０．５部、セイヨウオトギリソウ抽出物０．１部、セイヨウサンザシ抽出物０．１部、ローズマリー抽出物０．１部、スイカズラ抽出物０．１部、水残部からなる組成を特許第２６２８５１２号公報に記載されている方法に準じて調製した。このようにして調整した衣料用柔軟仕上げ剤を用い、衣料に対して繊維防臭処理を行なったところ、その衣料において防臭効果が認められた。
【００６０】
［処方例２］
下記の方法にての繊維防臭効果を有する衣料用柔軟仕上げ剤を調製した。カチオン性界面活性剤（特開２００３−１２４７１号公報実施例１に記載のカチオン性界面活性剤）１５部、ジメチルシリコーンＢＹ２２−０５０Ａ（東レ・ダウコーニング社製）３部、塩化カルシウム（トクヤマ社製）０．３部、エチレングリコール（三菱化学社製）１部、Ｃ．Ｉ．Ａｃｉｄ  Ｒｅｄ １３８（日本化薬社製）０．００１部、イソチアゾロン（ローム・アンド・ハース社製）０．０００１部、特開２００３−１０５６６８号公報記載の表８〜１７記載の香料組成物Ａ  ０．５部、セイヨウオトギリソウ抽出物０．２部、セイヨウサンザシ抽出物０．１部、スイカズラ抽出物０．１部、水残部からなる組成を特許第２６２８５１２号公報に記載されている方法に準じて調製した。このようにして調整した衣料用柔軟仕上げ剤を用い、衣料に対して繊維防臭処理を行なったところ、その衣料において防臭効果が認められた。
【産業上の利用可能性】
【００６１】
以上のように、本発明の繊維防臭剤は、ヒトの不快な体臭の有力成分である低級脂肪酸を抑制する、植物の抽出物を有効成分として含有する。従って、ヒトの不快な体臭を持続的に抑制する繊維防臭組成物の製造に適し、さらに防臭効果が付与された繊維または衣料の製造に適している。